(57)【要約】本発明は、インターレースピクチャのシーケンスの中のピクチャの少なくとも１つの画素ブロックについて、低分解能プログレッシブピクチャのシーケンスの中のピクチャに関連する動きデータ及びテクスチャデータから、少なくとも１つの動き予測子及び少なくとも１つのテクスチャ予測子を生成する方法に関する。
2009518906.tif 000002
【特許請求の範囲】
【請求項１】
高分解能シーケンスと呼ばれる高分解能インターレースピクチャのシーケンスの中のピクチャの少なくとも１つの画素ブロックについて、低分解能シーケンスと呼ばれる低分解能プログレッシブピクチャのシーケンスの中の前記ピクチャに関連する動きデータから少なくとも１つの動き予測子を生成する方法であって、各インターレースピクチャはボトムフィールドと交互にされたトップフィールドを有し、各プログレッシブピクチャ及びインターレースピクチャの各フィールドはそれと時間基準を関連付けている方法において、
−  前記高分解能シーケンスの時間周波数が前記低分解能シーケンスの時間周波数に等しい場合に、前記少なくとも１つの動き予測子は、前記少なくとも１つの画素ブロックについて、
・高分可能ピクチャのトップフィールドと同じ時間基準を有する低分解能ピクチャの少なくとも１つの画素ブロックに関連する動きデータから、及び／又は
・高分解能ピクチャのボトムフィールドと同じ時間基準を有する低分解能ピクチャの少なくとも１つの画素ブロックに関連する動きデータから生成され、
−  前記高分可能シーケンスの時間周波数が前記低分解能シーケンスの時間周波数の２倍に等しい場合に、前記少なくとも１つの動き予測子は、前記少なくとも１つの画素ブロックについて、前記高分解能ピクチャのトップフィールドと同じ時間基準を有する低分解能ピクチャの少なくとも１つの画素ブロックに関連する動きデータから生成される方法。
【請求項２】
前記高分解能シーケンスの時間周波数が前記低分解能シーケンスの時間周波数に等しい場合に、前記少なくとも１つの動き予測子は、ピクチャの水平方向における水平層間比及びピクチャの垂直方向における垂直層間比を有して、前記高分解能ピクチャのトップフィールドと同じ時間基準を有する低分解能ピクチャの少なくとも１つの画素ブロックに関連する動きデータをサブサンプリングすることによって生成される、請求項１記載の方法。
【請求項３】
前記高分可能シーケンスの時間周波数が前記低分解能シーケンスの時間周波数に等しい場合に、前記少なくとも１つの動き予測子は、ピクチャの水平方向における水平層間比及びピクチャの垂直方向における垂直層間比を有して、前記高分解能ピクチャのボトムフィールドと同じ時間基準を有する低分解能ピクチャの少なくとも１つの画素ブロックに関連する動きデータをサブサンプリングすることによって生成される、請求項１記載の方法。
【請求項４】
前記高分解能シーケンスの時間周波数が前記低分解能シーケンスの時間周波数の２倍に等しい場合に、前記少なくとも１つの動き予測子は、前記少なくとも１つの画素ブロックについて、ピクチャの水平方向における水平層間比及びピクチャの垂直方向における垂直層間比を有して、前記高分解能ピクチャのトップフィールドと同じ時間基準を有する低分解能ピクチャの少なくとも１つの画素ブロックに関連する動きデータをサブサンプリングすることによって生成される、請求項１記載の方法。
【請求項５】
−  前記高分解能シーケンスの時間周波数が前記低分解能シーケンスの時間周波数に等しい場合に、少なくとも１つのテクスチャ予測子は、前記少なくとも１つの画素ブロックについて、
・前記高分解能ピクチャのトップフィールドと同じ時間基準を有する低分解能ピクチャの少なくとも１つの画素ブロックに関連するテクスチャデータから、及び／又は
・前記高分解能ピクチャのボトムフィールドと同じ時間基準を有する低分解能ピクチャの少なくとも１つの画素ブロックに関連するテクスチャデータから、及び／又は
・前記高分解能ピクチャのボトム又はトップフィールドのうちの１つと同じ時間基準を有する低分解能ピクチャの少なくとも１つの画素ブロックの夫々に関連するテクスチャデータから生成され、
−  前記高分解能シーケンスの時間周波数が前記低分解能シーケンスの時間周波数の２倍に等しい場合に、少なくとも１つのテクスチャ予測子は、前記少なくとも１つの画素ブロックについて、前記高分解能ピクチャのトップフィールドと同じ時間基準を有する低分解能ピクチャの少なくとも１つの画素ブロックに関連するテクスチャデータから生成される、請求項１記載の方法。
【請求項６】
前記低分解能ピクチャに関連する動きデータは運動ベクトルを有する、請求項１乃至５のうちいずれか一項記載の方法。
【請求項７】
低分解能ピクチャから高分解能ピクチャをエンコードする方法によって用いられる、請求項１乃至６のうちいずれか一項記載の方法。
【請求項８】
前記低分解能ピクチャは、ＭＰＥＧ−４ＡＶＣ規格に従ってエンコードされる、請求項７記載の方法。
【請求項９】
低分解能ピクチャから高分解能ピクチャをデコードする方法によって用いられる、請求項１乃至６のうちいずれか一項記載の方法。
【発明の詳細な説明】
【技術分野】
【０００１】
本発明は、高分解能インターレースシーケンスのピクチャについて、少なくとも１つの動き予測子及び必要に応じて少なくとも１つのテクスチャ予測子を、動きデータから及び必要に応じて低分解能プログレッシブシーケンスのピクチャに関連するテクスチャデータから生成する方法に関する。
【背景技術】
【０００２】
空間スケーラビリティを用いた階層符号化方法が知られている。スケーラビリティは、複数の分解能及び／又は品質のレベルでの復号化を可能にするよう情報をスタガする能力を表す。より具体的には、このような符号化方法によって生成されるデータストリームは、幾つかのレベル、具体的に、基本レイヤ及び１又はそれ以上の拡張レイヤに分けられる。かかる方法は、単一のデータストリームを可変な伝送状態（帯域幅、誤り率等。）へ並びに顧客の期待及び彼らの受信器の様々な性能（ＣＰＵ、ディスプレイ装置の仕様等。）へ適合させるために使用される。空間スケーラビリティの具体的な事例では、シーケンスの低分解能ピクチャに対応するデータストリームの部分は、高分解能ピクチャに対応するデータストリームの部分とは無関係にデコードされ得る。他方で、シーケンスの高分解能ピクチャに対応するデータストリームの部分は、低分解能ピクチャに対応するデータストリームの部分からのみデコードされ得る。
【０００３】
空間スケーラビリティを用いた階層符号化は、低分解能ピクチャに関して並びに、高分解能ピクチャに関しては、基本レイヤと呼ばれる第１のデータ部分及び拡張レイヤと呼ばれる第２のデータ部分から、基本レイヤをエンコードすることを可能にする。通常、高分解能ピクチャの各マクロブロックは、従来の予測モード（例えば、双方向予測モード、直接モード、前方予測モード等。）に従って時間的に予測され、あるいは、実際には、レイヤ（層）間予測モードに従って予測される。後者の場合には、動きデータ（例えば、ブロック、場合により、ベクトル及び基準ピクチャインデックスへのマクロブロックのパーティション。）及び、必要に応じて、高分解能ピクチャの画素ブロックに関連するテクスチャデータは、低分解能ピクチャの画素ブロックに関連する動きデータ又はテクスチャデータから推定又は継承される。しかし、かかる既知の方法によっては、このような予測子は、低分解能シーケンスが漸進的（プログレッシブ）であって且つ高分解能シーケンスが飛び越し走査（インターレース）をされる場合には生成され得ない。
【発明の開示】
【発明が解決しようとする課題】
【０００４】
本発明は、先行技術の欠点の少なくとも１つを解消することを目的とする。
【課題を解決するための手段】
【０００５】
本発明は、高分解能シーケンスと呼ばれる高分解能インターレースピクチャのシーケンスの中のピクチャの少なくとも１つの画素ブロックについて、低分解能シーケンスと呼ばれる低分解能プログレッシブピクチャのシーケンスの中の前記ピクチャに関連する動きデータから少なくとも１つの動き予測子を生成する方法に関する。各インターレースピクチャは、ボトムフィールドと交互にされたトップフィールドを有する。各プログレッシブピクチャ及びインターレースピクチャの各フィールドは、それと時間基準を関連付けている。当該方法は、特に、
−  前記高分解能シーケンスの時間周波数が前記低分解能シーケンスの時間周波数に等しい場合に、前記少なくとも１つの画素ブロックについての前記少なくとも１つの動き予測子を、
・高分可能ピクチャのトップフィールドと同じ時間基準を有する低分解能ピクチャの少なくとも１つの画素ブロックに関連する動きデータから、及び／又は
・高分解能ピクチャのボトムフィールドと同じ時間基準を有する低分解能ピクチャの少なくとも１つの画素ブロックに関連する動きデータから生成し、且つ、
−  前記高分可能シーケンスの時間周波数が前記低分解能シーケンスの時間周波数の２倍に等しい場合に、前記少なくとも１つの画素ブロックについての前記少なくとも１つの動き予測子を、前記高分解能ピクチャのトップフィールドと同じ時間基準を有する低分解能ピクチャの少なくとも１つの画素ブロックに関連する動きデータから生成することを可能にする。
【０００６】
有利に、前記高分解能シーケンスの時間周波数が前記低分解能シーケンスの時間周波数に等しい場合に、前記少なくとも１つの動き予測子は、ピクチャの水平方向における水平層間比及びピクチャの垂直方向における垂直層間比によって前記高分解能ピクチャのトップフィールドと同じ時間基準を有する低分解能ピクチャの少なくとも１つの画素ブロックに関連する動きデータをサブサンプリングすることにより生成される。
【０００７】
他の実施例に従って、前記高分可能シーケンスの時間周波数が前記低分解能シーケンスの時間周波数に等しい場合に、前記少なくとも１つの動き予測子は、ピクチャの水平方向における水平層間比及びピクチャの垂直方向における垂直層間比によって前記高分解能ピクチャのボトムフィールドと同じ時間基準を有する低分解能ピクチャの少なくとも１つの画素ブロックに関連する動きデータをサブサンプリングすることにより生成される。
【０００８】
他の実施例に従って、前記高分解能シーケンスの時間周波数が前記低分解能シーケンスの時間周波数の２倍に等しい場合に、前記少なくとも１つの動き予測子は、前記少なくとも１つの画素ブロックについて、ピクチャの水平方向における水平層間比及びピクチャの垂直方向における垂直層間比によって前記高分解能ピクチャのトップフィールドと同じ時間基準を有する低分解能ピクチャの少なくとも１つの画素ブロックに関連する動きデータをサブサンプリングすることにより生成される。
【０００９】
本発明に従う方法は、また、
−  前記高分解能シーケンスの時間周波数が前記低分解能シーケンスの時間周波数に等しい場合に、前記少なくとも１つの画素ブロックについての少なくとも１つのテクスチャ予測子を、
・前記高分解能ピクチャのトップフィールドと同じ時間基準を有する低分解能ピクチャの少なくとも１つの画素ブロックに関連するテクスチャデータから、及び／又は
・前記高分解能ピクチャのボトムフィールドと同じ時間基準を有する低分解能ピクチャの少なくとも１つの画素ブロックに関連するテクスチャデータから、及び／又は
・前記高分解能ピクチャのボトム又はトップフィールドのうちの１つと同じ時間基準を有する低分解能ピクチャの少なくとも１つの画素ブロックの夫々に関連するテクスチャデータから生成し、且つ、
−  前記高分解能シーケンスの時間周波数が前記低分解能シーケンスの時間周波数の２倍に等しい場合に、前記少なくとも１つの画素ブロックについての少なくとも１つのテクスチャ予測子を、前記高分解能ピクチャのトップフィールドと同じ時間基準を有する低分解能ピクチャの少なくとも１つの画素ブロックに関連するテクスチャデータから生成することを可能にする。
【００１０】
望ましくは、前記低分解能ピクチャに関連する動きデータは運動ベクトルを有する。
【００１１】
有利に、当該方法は、低分解能ピクチャから高分解能ピクチャをエンコードする方法によって及び低分解能ピクチャから高分解能ピクチャをデコードする方法によって用いられる。
【００１２】
望ましくは、前記低分解能ピクチャは、ＭＰＥＧ−４ＡＶＣ規格に従ってエンコードされる。
【発明を実施するための最良の形態】
【００１３】
本発明は、添付の図面を参照して与えられる、限定ではない例となる実施形態及び有利な実施によって、より良く理解され且つ表されうる。
【００１４】
本発明は、高分解能シーケンスと呼ばれる高分解能インターレースピクチャの順序シーケンスの中のピクチャについて、低分解能シーケンスと呼ばれる低分解能プログレッシブピクチャの順序シーケンスの中の前記ピクチャから、少なくとも１つの動き予測子及び必要に応じてテクスチャ予測子を生成することにあるレイヤ間予測方法に関する。シーケンスは、ピクチャのグループ（ＧＯＰ）に分けられる。各高分解能ピクチャは、ボトムフィールドと交互にされるトップフィールドを有する。図１及び２では、インデックスｋのインターレースピクチャは、トップフィールドｋＴ及びボトムフィールドｋＢから構成され、プログレッシブピクチャは、そのインデックスｋによって参照される。時間基準は、プログレッシブシーケンスの各ピクチャ及びインターレースシーケンスの各フィールドと関連付けられる。高分解能フィールドと呼ばれる高分解能ピクチャのフィールド及び同じ時間基準を有する低分解能ピクチャは、垂直に同期する。ＬＲピクチャとも呼ばれる低分解能ピクチャは、幅ｗ（ｗは画素又は列の数を表す。）及び２ｈの高さ（２ｈは画素又は行の数を表し且つ２及びｈの乗算を意味する。）を有する。ＨＲピクチャとも呼ばれる高分解能ピクチャは、幅Ｗ（Ｗは画素又は列の数を表す。）及び２Ｈの高さ（２Ｈは画素又は行の数を表し且つ２及びＨの乗算を意味する。）を有する。高分解能ピクチャの各フィールドは、幅Ｗ及び高さＨを有する。記載される実施例では、インターレースピクチャは、フィールドピクチャモードでエンコードされ得る。即ち、各フィールドは別個のピクチャとしてエンコードされる。あるいは、インターレースピクチャは、フレームピクチャモードでエンコードされ得る。即ち、２つのフィールドは一緒にエンコードされる。ピクチャの行は０から番号を付され、従って、第１の行は偶数行であり、第２の行（番号１）は奇数行である。
【００１５】
従って、本発明は、高分解能シーケンスのピクチャについて又は高分解能シーケンスの少なくとも１つの画素ブロックについて、少なくとも１つの動き予測子及び必要に応じて少なくとも１つのテクスチャ予測子を生成することにある。高分解能ピクチャ又は高分解能ピクチャの少なくとも１つの画素ブロックに関連するテクスチャ予測子は、その画素テクスチャデータ（例えば、輝度値及び必要に応じてクロミナンス値。）の夫々と関連したピクチャ又は予測ブロックであって、出典ＪＶＴ−Ｐ２０２、J.Reichel、H.Schwarz、M.Wien、“Joint  Scalable  Video  Model  JSVM3  Annex-S”と題された文献ＩＳＯ／ＩＥＣ  ＭＰＥＧ＆ＩＴＵ−Ｔ  ＶＣＥＧの項S8.3.6.4及びS8.5.14.2に記載される、テクスチャに適用されるＥＳＳ（拡張空間スケーラビリティ（Extended  Spatial  Scalability）の略語）方法のようなテクスチャのサブサンプリング方法に従って、少なくとも１つのピクチャ（即ち、フィールド。）又は低分解能ピクチャの少なくとも１つの画素ブロック（即ち、フィールドの少なくとも１つの画素ブロック。）に関連するテクスチャデータから生成されるピクチャ又は予測ブロックである。前出の文献は、以下でＪＳＶＭ３と呼ばれる。高分解能ピクチャ又は高分解能ピクチャの少なくとも１つの画素ブロックに関連する動き予測子は、関連する動きデータ（例えば、パーティショニングの種類、場合により、運動ベクトルが指し示す基準ピクチャを識別することを可能にする基準ピクチャインデックス。）である予測ピクチャ又は予測ブロックとして定義される。動き予測子は、ＪＳＶＭ３の項S8.4.1.6.3に記載される、動きに適用されるＥＳＳ方法又は、動きに適用されるＥＳＳ方法から得られる、以下で記載される変形ＥＳＳ方法のような、動きサブサンプリング方法に従って、少なくとも１つのピクチャ（即ち、フィールド）又は低分解能ピクチャの少なくとも１つの画素ブロック（即ち、フィールドの少なくとも１つの画素ブロック）と関連する動きデータから生成される。図３でＭＥＳＳと呼ばれる変形ＥＳＳ方法は、具体的に、高分解能インターレースシーケンス及び／又は低分解能インターレースシーケンスを処理することを可能にする。より具体的には、それは、高分解能ピクチャの高さ又は幅が低分解能ピクチャのものよりも小さい場合を扱うことを可能にする。この場合は、図２によって表される。図２で、高分解能ピクチャのトップ又はボトムフィールドの高さＨ（Ｈ＝５４０）は、低分解能ピクチャの高さ２ｈ（２ｈ＝７２０）よりも小さい。更に、それは、有利に、本発明に従う予測方法が階層符号化又は復号化方法によって使用される場合に、無効な運動ベクトル、即ち、利用できない基準ピクチャを指し示すベクトルを含む動き予測子を有することを回避することを可能にする。例えば、図２を参照して、低分解能ピクチャ５は、先に処理されるよう、時間的に低分解能ピクチャ６を参照することができる。しかし、高分解能フィールド２Ｂは、フィールド２Ｂが処理される場合に時間的に依然として利用可能でない高分解能フィールド３Ｔを参照することはできない。
【００１６】
変形ＥＳＳ方法に従って、中間の動き予測子は、低分解能ピクチャに関連する動きデータ、より具体的には、低分解能ピクチャのマクロブロックの夫々に関連する動きデータを、ピクチャの垂直方向で又はピクチャの水平方向で又はそれら両方の方向で、２によってサブサンプリングをすることによって生成される。２によるサブサンプリングの方法は、ピクチャの垂直方向においては、かかる中間予測子の高さが高分解能ピクチャの高さよりも大きい限り繰り返され、また、ピクチャの水平方向においては、かかる中間予測子の幅が高分解能ピクチャの幅よりも大きい限り繰り返される。サブサンプリングは、具体的に、画素ブロックに関連する運動ベクトルの座標を２で割ることにある。例えば、図５を参照すると、できる限り画素ブロックに分けられた低分解能ピクチャの２つのマクロブロックＭＢ１又はＭＢ２に基づいて、中間動き予測子のマクロブロックＭＢが生成される。マクロブロック内の画素ブロックの大きさは、そのマクロブロックの上に示されている。例えば、図５の上から２番目の例では、マクロブロックＭＢ１は分けられておらず、マクロブロックＭＢ２は８×１６画素の２つのブロックに分けられており、これら２つのマクロブロックから生成されるマクロブロックＭＢは４つの８×８ブロックに分けられる。この８×８ブロックのうちの２つは４×８ブロックに分けられている。基準ピクチャのインデックスは、マクロブロックＭＢ内の８×８画素サイズのブロックの間で画一にされ、マクロブロックＭＢ内の分離されたイントラタイプのブロックは、動きに適用される、ＪＳＶＭ３に記載されたＥＳＳレイヤ間予測方法と同じように削除される。高分解能ピクチャに関連する動き予測子は、このようにして生成された最後の中間動き予測子から、ピクチャの水平方向ではＷ／ｗｉに及びピクチャの垂直方向では２Ｈ／２ｈｉに等しい層間比を有してＥＳＳ方法を適用することによって生成される。ここで、ｗｉ及び２ｈｉは、夫々、生成された最後の中間動き予測子の幅及び高さである。更に、各予測マクロブロックに関し、動きベクトル継承（inheritance）方法は、無効な運動ベクトル、即ち、時間的な機能停止処理において利用可能でないフィールド又はフレームピクチャを指し示すベクトルを生成しないように変形される。この場合に、予測マクロブロックＭＢ＿ｐｒｅｄに関連する全ての運動ベクトルが有効でないならば、レイヤ間動き予測はこのマクロブロックについては認められない。さもなければ、即ち、ベクトルの少なくとも１つでも有効であるならば、動きに適用されるＥＳＳ予測方法が使用される。
【００１７】
図１乃至４に表される本発明に従う方法は、ピクチャに関し記載されるが、ピクチャの一部、具体的にはピクチャのブロック、例えばマクロブロックに適用可能である。図３の左側部分は、図１中のインデックスｋの高分解能ピクチャに関連するテクスチャ予測子の生成を表す。かかるテクスチャ予測子は、低分解能シーケンスの時間周波数が高分解能シーケンスの時間周波数の半分に等しい場合に、次の通りに生成される（例えば、低分解能シーケンスはＣＩＦフォーマットでのプログレッシブシーケンス、即ち、３５２×２８８画素、３０Ｈｚであり、高分解能シーケンスはＳＤフォーマットでのインターレースシーケンス、即ち、７２０×５７６画素、６０Ｈｚである。）：
・  Ｗ×２Ｈの大きさを有するフレームテクスチャ予測子は、ステップ３０で、ピクチャの水平方向ではＷ／ｗに及びピクチャの垂直方向では２Ｈ／２ｈに等しい層間比を有してテクスチャ予測ＥＳＳ方法を適用することによって、インデックスｋの低分解能ピクチャのテスクチャデータから生成される；更に
・  Ｗ×Ｈの大きさを有するテクスチャ予測子は、ステップ３１で、前のステップ３０で生成されたフレームテクスチャ予測子を垂直にサブサンプリングすることによって、即ち、その偶数行を保つことによって、高分解能ピクチャのトップフィールドに関して生成される。
【００１８】
このような特定の場合において、テクスチャ予測子はボトムフィールドに関しては生成されない。ボトムフィールドがトップフィールドの前にエンコードされる場合（“ボトムフィールド・ファースト”モード）では、テクスチャ予測子はトップフィールドに関しては生成されず、Ｗ×Ｈの大ききを有するテクスチャ予測子が、フレームテクスチャ予測子を垂直にサブサンプリングすることによって、即ち、その奇数行を保つことによって、高分解能ピクチャのボトムフィールドに関して生成される。
【００１９】
図３の右側部分は、低分解能シーケンス及び高分解能シーケンスの時間周波数が等しい場合に、図２のインデックスｋの高分解能ピクチャに関連するテクスチャ予測子の生成を表す（例えば、低分解能シーケンスは７２０ｐフォーマットでのプログレッシブシーケンス、即ち、１２８０×７２０画素、６０Ｈｚであり、高分解能シーケンスは１０８０ｉフォーマットでのインターレースシーケンス、即ち、１９２０×５４０画素、６０Ｈｚである。）：
・  Ｗ×２Ｈの大きさを有する第１の中間フレームテクスチャ予測子は、ステップ３２で、ピクチャの水平方向ではＷ／ｗに及びピクチャの垂直方向では２Ｈ／２ｈに等しい層間比を有してＥＳＳ方法を適用することによって、インデックス２ｋの低分解能ピクチャのテクスチャデータから生成される；
・  Ｗ×Ｈの大きさを有するテクスチャ予測子は、ステップ３４で、前のステップ３２で生成された第１の中間フレームテクスチャ予測子を垂直にサブサンプリングすることによって、即ち、その偶数行を保つことによって、高分解能ピクチャのトップフィールドに関して生成される；
・  Ｗ×２Ｈの大きさを有する第２の中間フレームテクスチャ予測子は、ステップ３３で、ピクチャの水平方向ではＷ／ｗに及びピクチャの垂直方向では２Ｈ／２ｈに等しい層間比を有してＥＳＳ方法を適用することによって、インデックス２ｋ＋１の低分解能ピクチャのテクスチャデータから生成される；
・  Ｗ×Ｈの大きさを有するテクスチャ予測子は、ステップ３５で、前のステップ３３で生成された第２の中間フレームテクスチャ予測子を垂直にサブサンプリングすることによって、即ち、その奇数行を保つことによって、高分解能ピクチャのボトムフィールドに関して生成される；更に
・  Ｗ×２Ｈの大きさを有するフレームテクスチャ予測子は、ステップ３６で、ボトムフィールド及びトップフィールドに夫々関連するテクスチャ予測子を飛び越し走査することによって生成される。
【００２０】
しかし、現在のＧＯＰの最後のピクチャに関して、Ｗ×２Ｈの大きさを有するフレームテクスチャ予測子は、ピクチャの水平方向では１に及びピクチャの垂直方向では２に等しい層間比を有してＥＳＳ方法を適用することによって、高分解能ピクチャのトップフィールドに関連するテクスチャ予測子から生成される。
【００２１】
高分解能シーケンスのＧＯＰの最後のボトムフィールド（図２中の４Ｂを参照。）は、対応する低分解能ピクチャ（図２中の９を参照。）が次のＧＯＰに属するために、予測子を有さない。
【００２２】
図１中のインデックスｋの高分解能ピクチャに関連する動き予測子は、低分解能シーケンスの時間周波数が高分解能シーケンスの時間周波数の半分に等しい場合に、図４によって表される以下の方法で生成される：
・  Ｗ×Ｈの大きさを有する動き予測子は、ステップ４０で、上述された変形ＥＳＳ方法を、ピクチャの水平方向ではＷ／ｗに及びピクチャの垂直方向ではＨ／２ｈに等しい層間比を有して適用することによって、インデックスｋの低分解能ピクチャの動きデータから高分解能ピクチャのトップフィールドに関して生成される；更に
・  Ｗ×２Ｈの大きさを有するフレーム動き予測子は、ステップ４１で、上述された変形ＥＳＳ方法を、ピクチャの水平方向ではＷ／ｗに及びピクチャの垂直方向では２Ｈ／２ｈに等しい層間比を有して適用することによって、インデックスｋの低分解能ピクチャの動きデータから生成される。
【００２３】
このような特定の場合において、動き予測子はボトムフィールドに関しては生成されない。ボトムフィールドがトップフィールドの前にエンコードされる場合（“ボトムフィールド・ファースト”モード）では、動き予測子はトップフィールドに関しては生成されず、Ｗ×Ｈの大ききを有する動き予測子が、フレーム動き予測子を垂直にサブサンプリングすることによって、即ち、その奇数行を保つことによって、ボトムフィールドに関して生成される。
【００２４】
他の場合では、即ち、低分解能シーケンス及び高分解能シーケンスの時間周波数が等しい場合では、図２中のインデックスｋの高分解能ピクチャの動き予測子は、図４で表される以下の方法で生成される：
・  Ｗ×Ｈの大きさを有する動き予測子は、ステップ４２で、高分解能ピクチャのトップフィールドに関して、上述される変形ＥＳＳ方法を、ピクチャの水平方向ではＷ／ｗに及びピクチャの垂直方向ではＨ／２ｈに等しい層間比を有して適用することによって、インデックス２ｋの低分解能ピクチャの動きデータから生成され、然るべく生成された基準ピクチャインデックスは２で割られる；
・  Ｗ×Ｈの大きさを有する動き予測子は、ステップ４３で、高分解能ピクチャのボトムフィールドに関して、上述された変形ＥＳＳ方法を、ピクチャの水平方向ではＷ／ｗに及びピクチャの垂直方向ではＨ／２ｈに等しい層間比を有して適用することによって、インデックス２ｋ＋１の低分解能ピクチャの動きデータから生成される；更に
・  Ｗ×２Ｈの大きさを有するフレーム動き予測子は、ピクチャの水平方向ではＷ／ｗに及びピクチャの垂直方向では２Ｈ／２ｈに等しい層間比を有して変形ＥＳＳ方法を適用することによって、インデックス２ｋ又は２ｋ＋１の低分解能ピクチャの動きデータから生成される。
【００２５】
変形例に従って、図４中でＰ１及びＰ２で参照され、Ｗ×２Ｈの大きさを有する２つの動きフレーム予測子は、１つＰ１がインデックス２ｋの低分解能ピクチャから、もう１つＰ２がインデックス２ｋ＋１のピクチャから、ピクチャの水平方向ではＷ／ｗに及びピクチャの垂直方向では２Ｈ／２ｈに等しい層間比を有して変形ＥＳＳ方法を適用することによって生成される。
【００２６】
変形例に従って、テクスチャ及び動き予測子は、シーケンスの各ＧＯＰの最後のピクチャに関しては生成されない。実際には、かかるピクチャに関して動き及びテクスチャ予測子を生成すべく、図１及び２で表されるように、低分解能シーケンスの対応するＧＯＰ及び次のＧＯＰをデコード及び記憶することが必要である。
【００２７】
当該方法が符号化方法によって使用される場合には、全ての動き予測子（又はテクスチャ予測子）は、所与の基準、例えば速度歪み基準に従って最も適切なものを選択するために生成され得る。当該方法が復号化方法によって使用される場合には、単一の動き予測子（又は単一のテクスチャ予測子）が生成され、この予測子の種類はビットストリームにおいて特定される。
【００２８】
当然、本発明は前出の例となる実施形態に限定されない。具体的には、いわゆる当業者は、記載される実施例に対して如何なる変形を施すことも可能であり、また、それらの実施例を組み合わせて、様々な効果を得ることができる。例えば、本発明に従う方法は、高分解能ピクチャの一部へ適用され得る。実際には、低分解能ピクチャの画素ブロックに関連する動き及び／又はテクスチャデータから高分解能ピクチャの画素ブロック（例えば、１６×１６画素の大きさを有するマクロブロック。）に関し動き及び／又はテクスチャ予測子を生成することが可能である。同様に、本発明は、インターレースピクチャのトップフィールドが最初に表示される場合（“トップフィールドファースト”の事例）について記載されてきたが、トップフィールド及びボトムフィールドを逆にすることによって、ボトムフィールドが最初に表示される場合（“ボトムフィールドファースト”の事例）に直接に拡張され得る。更に、本発明は、また、幾つかの高分解能シーケンス（即ち、幾つかの拡張レイヤ。）の場合にも拡張され得る。更に、本発明は、有利に、ピクチャ又はビデオのシーケンスをエンコード（符号化）又はデコード（復号化）する方法によって使用される。望ましくは、低分解能ピクチャのシーケンスは、文献ＩＳＯ／ＩＥＣ１４４９６−１０で定義されるＭＰＥＧ４  ＡＶＣ符号化規格（“Information  technology  −  Coding  of  audio-visual  objects  −  Part10：Advanced  Video  Coding”）に従ってエンコードされる。
【図面の簡単な説明】
【００２９】
【図１】低分解能ピクチャのプログレッシブシーケンスと、低分解能シーケンスの２倍の時間周波数を有する高分解能ピクチャのインターレースシーケンスとを表す。
【図２】低分解能ピクチャのプログレッシブシーケンスと、低分解能シーケンスと同じ時間周波数を有する高分解能ピクチャのインターレースシーケンスとを表す。
【図３】低分解能ピクチャのシーケンスが漸進的であって且つ高分解能ピクチャのシーケンスが飛び越し走査をされる場合に本発明に従うテクスチャ予測子の生成方法を表す。
【図４】低分解能ピクチャのシーケンスが漸進的であって且つ高分解能ピクチャのシーケンスが飛び越し走査をされる場合に本発明に従う動き予測子の生成方法を表す。
【図５】低分解能ピクチャの２つのマクロブロックＭＢ１及びＭＢ２のピクチャの水平方向での係数２によるサブサンプリングと、対応する予測子マクロブロックＭＢ＿ｐｒｅｄに関して結果として生じるパーティショニングとを表す。
【図１】
2009518906.tif 000003
【図２】
2009518906.tif 000004
【図３】
2009518906.tif 000005
【図４】
2009518906.tif 000006
【図５】
2009518906.tif 000007
【国際調査報告】
2009518906.tif 000008
2009518906.tif 000009